(57)【要約】【課題】ランニングコストを低減するとともに使用者が外出時でも機能液を噴霧する。【解決手段】噴霧装置は、所定の機能を有する機能液３を噴霧する噴霧器１および携帯用噴霧器２を備える。携帯用噴霧器２は、使用者に携帯されて用いられる。噴霧器１は、機能液３を貯蔵するタンク１１と、タンク１１が取り付けられた本体部１２と、タンク１１に貯蔵されている機能液３を本体部１２の外部に噴霧する噴霧部１３とを備える。さらに、噴霧器１は、タンク１１に貯蔵するための機能液３を原材料から生成する機能液生成部１４と、携帯用噴霧器２が着脱自在に取り付けられる取付部１５と、取付部１５に取り付けられた携帯用噴霧器２にタンク１１から機能液３を供給する供給部４１とを備える。【選択図】図１
2012005981.tif 000002
【特許請求の範囲】
【請求項１】
使用者に携帯され所定の機能を有する機能液を噴霧する携帯用噴霧器とともに用いられる噴霧器であって、
前記機能液を貯蔵するタンクと、
前記タンクが取り付けられた本体部と、
前記タンクに貯蔵されている前記機能液を前記本体部の外部に噴霧する噴霧部と、
前記タンクに貯蔵するための前記機能液を原材料から生成する機能液生成部と、
前記携帯用噴霧器が着脱自在に取り付けられる取付部と、
前記取付部に取り付けられた前記携帯用噴霧器に前記タンクから前記機能液を供給する供給部と
を備えることを特徴とする噴霧器。
【請求項２】
前記取付部は、前記携帯用噴霧器の前記取付部への取付を検知する取付検知部を有し、
前記供給部は、前記携帯用噴霧器の前記取付部への取付が前記取付検知部で検知されると、前記携帯用噴霧器に前記機能液を自動で供給する
ことを特徴とする請求項１記載の噴霧器。
【請求項３】
前記取付部は、前記本体部に設けられ、前記携帯用噴霧器が差し込まれる凹所が形成されていることを特徴とする請求項１または２記載の噴霧器。
【請求項４】
前記噴霧部は、前記本体部の上部に噴霧口が露出するように当該本体部に設けられ、前記機能液を前記噴霧口から斜め上方に噴霧することを特徴とする請求項１〜３の何れか１項に記載の噴霧器。
【請求項５】
建物の出入口に設置され、
屋外から屋内に入った人を検知する検知部を備え、
前記噴霧部は、屋外から屋内に入った人を前記検知部が検知すると、前記機能液を噴霧する
ことを特徴とする請求項１〜４の何れか１項に記載の噴霧器。
【請求項６】
現在の日時を計測する時計部を備え、
前記機能液は、前記原材料として水を含み、前記水の電気分解によって生成される電解水であり、
前記機能液生成部は、前記水を電気分解する電解部を有し、
前記電解部は、前記時計部で計測される日時ごとに前記水の単位体積あたりの通電電気量を変化させる
ことを特徴とする請求項１〜５の何れか１項に記載の噴霧器。
【請求項７】
前記取付部に前記携帯用噴霧器が取り付けられると当該携帯用噴霧器の表面を除菌する除菌部を備えることを特徴とする請求項１〜６の何れか１項に記載の噴霧器。
【請求項８】
請求項１〜７の何れか１項に記載の噴霧器と、
前記噴霧器とは別体であり使用者に携帯され前記機能液を噴霧する携帯用噴霧器とを備え、
前記携帯用噴霧器は、
前記噴霧器から供給された前記機能液を貯蔵する携帯用タンクと、
前記携帯用タンクが取り付けられた携帯用本体部と、
前記携帯用タンクに貯蔵されている前記機能液を前記携帯用本体部の外部に噴霧する携帯用噴霧部とを備える
ことを特徴とする噴霧装置。
【請求項９】
前記携帯用噴霧部は、前記機能液を噴霧させる場合に操作される操作部を含み、前記携帯用本体部の同一表面に前記操作部および携帯用噴霧口が露出するように前記携帯用本体部に設けられ、前記操作部が操作されると前記携帯用噴霧口から前記同一表面に対して垂直方向に前記機能液を噴霧することを特徴とする請求項８記載の噴霧装置。
【発明の詳細な説明】
【技術分野】
【０００１】
本発明は、所定の機能を有する機能液を噴霧する噴霧器およびこの噴霧器を含む噴霧装置に関する。
【背景技術】
【０００２】
従来から、薬液を噴霧する噴霧器が種々開発されている（例えば特許文献１参照）。従来の噴霧器は、特定の場所に設置され、設置場所の空間に機能液を噴霧する。機能液の残量が少なくなると、管理者が機能液を購入して噴霧器に補充する。
【先行技術文献】
【特許文献】
【０００３】
【特許文献１】特開平８−２０６１８２号公報
【発明の概要】
【発明が解決しようとする課題】
【０００４】
しかしながら、従来の噴霧器では、上述したように機能液の残量が少なくなると管理者が機能液を購入して充填するため、機能液の購入によってランニングコストが高くなるという問題もあった。
【０００５】
また、従来の噴霧器は、特定の場所に設置されて用いられる据置型の噴霧器であるため、例えば外出時など特定の場所以外の場所で機能液を噴霧することができないという問題があった。
【０００６】
本発明は上記の点に鑑みて為され、本発明の目的は、ランニングコストを低減するとともに使用者が外出時でも機能液を噴霧することができる噴霧器およびこの噴霧器を含む噴霧装置を提供することにある。
【課題を解決するための手段】
【０００７】
本発明の噴霧器は、使用者に携帯され所定の機能を有する機能液を噴霧する携帯用噴霧器とともに用いられる噴霧器であって、前記機能液を貯蔵するタンクと、前記タンクが取り付けられた本体部と、前記タンクに貯蔵されている前記機能液を前記本体部の外部に噴霧する噴霧部と、前記タンクに貯蔵するための前記機能液を原材料から生成する機能液生成部と、前記携帯用噴霧器が着脱自在に取り付けられる取付部と、前記取付部に取り付けられた前記携帯用噴霧器に前記タンクから前記機能液を供給する供給部とを備えることを特徴とする。
【０００８】
この噴霧器において、前記取付部は、前記携帯用噴霧器の前記取付部への取付を検知する取付検知部を有し、前記供給部は、前記携帯用噴霧器の前記取付部への取付が前記取付検知部で検知されると、前記携帯用噴霧器に前記機能液を自動で供給することが好ましい。
【０００９】
この噴霧器において、前記取付部は、前記本体部に設けられ、前記携帯用噴霧器が差し込まれる凹所が形成されていることが好ましい。
【００１０】
この噴霧器において、前記本体部の上部に噴霧口が露出するように当該本体部に設けられ、前記機能液を前記噴霧口から斜め上方に噴霧することが好ましい。
【００１１】
この噴霧器において、建物の出入口に設置され、屋外から屋内に入った人を検知する検知部を備え、前記噴霧部は、屋外から屋内に入った人を前記検知部が検知すると、前記機能液を噴霧することが好ましい。
【００１２】
この噴霧器において、現在の日時を計測する時計部を備え、前記機能液は、前記原材料として水を含み、前記水の電気分解によって生成される電解水であり、前記機能液生成部は、前記水を電気分解する電解部を有し、前記電解部は、前記時計部で計測される日時ごとに前記水の単位体積あたりの通電電気量を変化させることが好ましい。
【００１３】
この噴霧器において、前記取付部に前記携帯用噴霧器が取り付けられると当該携帯用噴霧器の表面を除菌する除菌部を備えることが好ましい。
【００１４】
本発明の噴霧装置は、上述の噴霧器と、前記噴霧器とは別体であり使用者に携帯され前記機能液を噴霧する携帯用噴霧器とを備え、前記携帯用噴霧器は、前記噴霧器から供給された前記機能液を貯蔵する携帯用タンクと、前記携帯用タンクが取り付けられた携帯用本体部と、前記携帯用タンクに貯蔵されている前記機能液を前記携帯用本体部の外部に噴霧する携帯用噴霧部とを備えることを特徴とする。
【００１５】
この噴霧装置において、前記携帯用噴霧部は、前記機能液を噴霧させる場合に操作される操作部を含み、前記携帯用本体部の同一表面に前記操作部および携帯用噴霧口が露出するように前記携帯用本体部に設けられ、前記操作部が操作されると前記携帯用噴霧口から前記同一表面に対して垂直方向に前記機能液を噴霧することが好ましい。
【発明の効果】
【００１６】
本発明によれば、機能液を原材料から生成することができるので、ランニングコストを低減することができる。特に、上記効果は、機能液の原材料が管理者の身近に存在して容易に使用することができる場合に顕著である。
【００１７】
また、本発明によれば、携帯用噴霧器に対して機能液を供給することができるので、使用者が外出時でも機能液を噴霧することができる。
【図面の簡単な説明】
【００１８】
【図１】実施形態１に係る噴霧装置であって、（ａ）は外観図、（ｂ）は噴霧器に携帯用噴霧器が取り付けられたときの（ａ）のＡ−Ａ断面図である。
【図２】同上に係る噴霧器の構成を示すブロック図である。
【図３】同上に係る噴霧器であって、（ａ）は上面図、（ｂ）は側面図である。
【図４】同上に係る携帯用噴霧器であって、（ａ）は斜視図、（ｂ）は正面図、（ｃ）は側面図、（ｄ）は上面図である。
【図５】同上に係る噴霧装置の使用状態を示す図である。
【図６】実施形態２に係る噴霧装置の断面図である。
【発明を実施するための形態】
【００１９】
以下の実施形態１，２に係る噴霧装置は、所定の機能を有する機能液を噴霧するために用いられる装置である。
【００２０】
（実施形態１）
実施形態１の噴霧装置は、図１に示すように、例えば玄関など建物の出入口に設置される据置型の噴霧器１と、使用者に携帯されて用いられる携帯用噴霧器２とを備えている。噴霧器１および携帯用噴霧器２は、ともに所定の機能を有する機能液３を外部空間に噴霧する。
【００２１】
機能液３としては、例えば薬液または芳香剤（消臭剤を含む）などがある。薬液としては、例えば殺菌剤、除菌剤、防虫剤または殺虫剤などがある。本実施形態の機能液３は、次亜塩素酸（ＨＣｌＯ）であり、原材料の電気分解によって生成される電解中性水である。次亜塩素酸は、水と食塩（ＮａＣｌ）とを原材料とする食塩水（塩化ナトリウム水溶液）の電気分解によって生成される。食塩水の電気分解によって、陽極側生成水中に高濃度の残留塩素が溶存する。残留塩素には殺菌効果があることから、本実施形態の噴霧器１は、食塩水を電気分解して殺菌・除菌用の消毒液を生成することができる。
【００２２】
続いて、噴霧器１について説明する。噴霧器１は、図１（ａ），（ｂ）に示すように、機能液３を貯蔵するタンク１１と、タンク１１が取り付けられた本体部１２と、機能液３を噴霧する噴霧部１３と、機能液３を生成する機能液生成部１４と、携帯用噴霧器２が取り付けられる取付部１５とを備えている。また、噴霧器１は、図２に示すように、携帯用噴霧器２に機能液３を供給する供給部４１と、噴霧器１の各機能を制御する制御部４２とを備えている。さらに、噴霧器１は、噴霧時間を計測するタイマ４３と、屋外から屋内に入った人を検知する検知部４４と、現在の日時を計測する時計部４５と、携帯用噴霧器２の表面を除菌する除菌部４６と、使用者が噴霧器１を操作するときに用いられる操作部４７とを備えている。
【００２３】
図１（ｂ）に示すタンク１１は、機能液生成部１４で生成された機能液３を貯蔵する。タンク１１には供給管１１１が接続されている。
【００２４】
本体部１２は、例えば樹脂などで形成され、図３（ａ），（ｂ）に示すように、円形状の上面１２１および下面１２２と円筒状の側面１２３とを備えている。本体部１２には、タンク１１が収納されて内部に取り付けられている。上面１２１には、携帯用噴霧器２の装填部分に２枚の扉１２４が設けられている。
【００２５】
噴霧部１３は、本体部１２の上面１２１に噴霧口１３１が露出するように本体部１２に設けられている。噴霧部１３は、制御部４２から噴霧制御信号が入力されると、タンク１１に貯蔵されている機能液３を噴霧口１３１から本体部１２の斜め上方に噴霧する。噴霧部１３から噴霧された機能液３は、空間上で放物線を描いて飛ぶことになる。具体的には、噴霧口からの機能液３の噴霧角度は、水平方向を０°とすれば、４５°〜８０°の範囲で設定されている。これにより、噴霧器１の傍を通った人に対して斜め上方から機能液３が降りかかるようにすることができる。噴霧部１３の噴霧方式としては、例えば超音波式、ベンチュリー式、加圧式またはポンプ式などがあり、用途または仕様に応じて適宜選択される。なお、噴霧口１３１の設置場所は上面１２１に限定されず、例えば側面１２３の上半分など本体部１２の上部であれば何れの場所であってもよい。また、噴霧部１３は、機能液３の噴霧角度（噴霧方向）を調整するための噴霧角度調整機構を有していてもよい。これにより、用途または設置場所に応じて噴霧角度を適宜変更することができる。
【００２６】
機能液生成部１４は、水溶液の電気分解を行う電解部として、１対の電極１４１と、電極１４１間に直流電圧を印加する電圧印加部（図示せず）とを備えている。各電極１４１は、電極１４１間の距離が一定になるとともに各電極１４１を垂直姿勢に保持するようにタンク１１内に設けられ、原材料である水と食塩との食塩水の中に浸かっている。電圧印加部は、例えば電子部品が回路基板に装着された回路ブロックである。
【００２７】
機能液生成部１４は、制御部４２から生成制御信号が入力されると、電極１４１間に電流が流れて、食塩水を電気分解し、機能液３として次亜塩素酸を含む電解水を生成する。機能液生成部１４によって生成された電解水（機能液３）は、そのままタンク１１に貯蔵される。機能液生成部１４は、時計部４５で計測される日時ごとに食塩水の単位体積あたりの通電電気量を変化させることによって、電解水に含まれる次亜塩素酸の濃度を変化させることができる。なお、機能液生成部１４は、タンク１１内の食塩水が拡散および対流によって全体にわたって電気分解されるようになっている。
【００２８】
ところで、機能液生成部１４は、ｐＨ調整用の酢が所定量添加されると、電解水のｐＨを例えば５．５〜７に調整することができる。これにより、機能液生成部１４は、ｐＨを５．５〜７の範囲にすることで機能液３として電解中性水を生成することができる。また、ｐＨ調整用の酢によって電解水のｐＨが４〜６に調整されると、電解水の次亜塩素酸の割合を高めることができる。
【００２９】
取付部１５は、本体部１２に設けられ、携帯用噴霧器２が差し込まれる凹所１５１が形成されている。凹所１５１の開口は扉１２４で塞がれている。取付部１５には、携帯用噴霧器２が扉１２４を押しのけて装填される。携帯用噴霧器２は、取付部１５に対して着脱自在である。本実施形態の取付部１５は、２台の携帯用噴霧器２を同時に装填させることが可能である。
【００３０】
また、取付部１５は、携帯用噴霧器２の取付部１５（凹所１５１）への取付を検知する取付検知部（図示せず）を備えている。取付検知部は、携帯用噴霧器２の取付部１５への取付を検知した旨の情報を含む取付検知信号を制御部４２に出力する。
【００３１】
図２に示す供給部４１は、制御部４２から供給制御信号が入力されると、取付部１５に取り付けられた携帯用噴霧器２にタンク１１から機能液３を供給する。機能液３は、供給管１１１を通ってタンク１１から携帯用噴霧器２に供給される。
【００３２】
制御部４２は、例えばマイクロプロセッサ（ＭＰＵ：Micro Processing Unit）を主構成要素とし、噴霧器１の各機能を制御する。具体的には、制御部４２は以下のような制御を行う。
【００３３】
まず、制御部４２は、噴霧部１３に機能液３を噴霧させる場合に噴霧制御信号を噴霧部１３に出力する。噴霧時間は、タイマ４３によって計測される。特に、屋外から屋内に入った人を検知部４４が検知した場合、制御部４２は、噴霧部１３に噴霧制御信号を出力する。
【００３４】
検知部４４は、検知エリアに存在する人を検知する第１の人感センサ４４１および第２の人感センサ４４２と、屋外から屋内に人が入ってきたか否かを判定する判定部４４３とを備えている。第１の人感センサ４４１および第２の人感センサ４４２は、例えば人体から放射される熱線を検知する熱線センサなどであり、本体部１２の側面１２３に露出して設けられている（図示せず）。第１の人感センサ４４１の検知エリアが屋外側になり、第２の人感センサ４４２の検知エリアが屋内側になるように噴霧器１が屋内に設置されている。第１の人感センサ４４１および第２の人感センサ４４２は、検知エリアに存在する人を検知すると、人を検知したことを示す検知信号を判定部４４３に出力する。判定部４４３は、例えば複数の電子部品を集積化して構成され、第１の人感センサ４４１から先に検知信号を取得し、その後、第２の人感センサ４４２から検知信号を取得した場合、屋外から屋内に人が入ってきたと判定し、判定結果を制御部４２に出力する。
【００３５】
制御部４２は、判定部４４３から判定結果が入力されると、噴霧部１３に噴霧制御信号を出力する。これにより、噴霧部１３は、屋外から屋内に入った人を検知部４４が検知した場合に、機能液３を噴霧することができる。
【００３６】
一方、第２の人感センサ４４２から先に検知信号を取得し、その後、第１の人感センサ４４１から検知信号を取得した場合、第１の人感センサ４４１からのみ検知信号を取得した場合、第２の人感センサ４４２からのみ検知信号を取得した場合、判定部４４３は、屋外から屋内に人が入ってきたとは判定しない。したがって、判定部４４３から制御部４２には判定結果は出力されない。
【００３７】
他の機能として、制御部４２は、使用者による操作部４７への操作によって機能液生成部１４に機能液３を生成させる場合に、生成制御信号を機能液生成部１４に出力する。特に、制御部４２は、時計部４５で計測された日時ごとに機能液３の濃度が変化するように機能液生成部１４を制御する。時計部４５は、例えばリアルタイムクロック（ＲＴＣ：Real Time Clock）などであり、年・月・日および時刻を計測する。制御部４２は、時計部４５で計測された日時に応じて、異なる設定濃度の情報を含む生成制御信号を機能液生成部１４に出力する。これにより、機能液生成部１４は、時計部４５で計測された日時ごとに機能液３の濃度を変化させることができる。なお、操作部４７としては、例えばスイッチなどが用いられる。
【００３８】
さらに他の機能として、制御部４２は、取付部１５の取付検知部（図示せず）から取付検知信号が入力されると、供給部４１に供給制御信号を出力する。これにより、供給部４１は、携帯用噴霧器２の取付部１５への取付が完了すると、携帯用噴霧器２に機能液３を自動で供給することができる。
【００３９】
他の機能として、制御部４２は、取付部１５に携帯用噴霧器２が取り付けられたときに、除菌部４６に除菌制御信号を出力する。
【００４０】
本実施形態の除菌部４６は、紫外光を放射する複数（図示例では３本）の光源４６１と、各光源４６１に電力を供給する電力供給部（図示せず）とを備えている。電力供給部は、制御部４２から除菌制御信号が入力されると各光源４６１に電力を供給する。各光源４６１は、電力供給部から電力が供給されると紫外光を携帯用噴霧器２の表面に向かって放射する。携帯用噴霧器２の表面は、各光源４６１から放射された紫外光によって除菌される。
【００４１】
続いて、携帯用噴霧器２について説明する。携帯用噴霧器２は、図４に示すように、外出時に持ち運びしやすい薄型タイプであり、例えばポケットまたはかばんなどに入れて携帯される。携帯用噴霧器２は、機能液３を貯蔵する携帯用タンク２１と、携帯用タンク２１が取り付けられた携帯用本体部２２と、機能液３を噴霧する携帯用噴霧部２３とを備えている。
【００４２】
携帯用タンク２１は、噴霧器１から供給された機能液３を貯蔵する。携帯用タンク２１は、透明樹脂などで形成されている。これにより、携帯者６（図５参照）は、携帯用タンク２１の外側から機能液３の残量を確認することができる。
【００４３】
携帯用本体部２２には、携帯用タンク２１が取り付けられている。携帯用本体部２２には、ストラップを取り付けるための孔部２２１が形成されている。
【００４４】
携帯用噴霧部２３は、機能液３を噴霧させる場合に操作される操作部２３１を備えている。操作部２３１は、図示例ではボタンであるが、ボタンに代えて、例えばスライドスイッチなどであってもよい。携帯用噴霧部２３は、携帯用本体部２２の同一表面２２２に操作部２３１および携帯用噴霧口２３２が露出するように携帯用本体部２２に設けられている。携帯者６によって操作部２３１が操作されると、携帯用噴霧部２３は、例えばベンチュリー式の噴霧方式を用いて、携帯用噴霧口２３２から同一表面２２２に対して垂直方向に向かって、携帯用タンク２１に貯蔵されている機能液３を噴霧する。つまり、本実施形態の携帯用噴霧器２は、手動式の噴霧器である。なお、携帯用噴霧器２の噴霧方式は、ベンチュリー式ではなく、超音波式、加圧式またはポンプ式などであってもよい。
【００４５】
次に、本実施形態に係る噴霧装置の動作について説明する。噴霧器１は、図５に示すように、住宅の玄関において例えば収納箱５などに設置されている。まず、タンク１１に水と食塩と酢が投入される。使用者が操作部４７を操作して制御部４２が機能液生成部１４に生成制御信号を出力すると、機能液生成部１４が食塩水を電気分解して、次亜塩素酸を含む電解中性水（機能液３）を生成する。機能液３はタンク１１に貯蔵される。
【００４６】
家人が外出する場合、検知部４４は、屋外から屋内に人が入ってきたと判定しないため、判定結果を制御部４２に出力しない。その後、家人が帰宅すると、検知部４４は、屋外から屋内に人が入ってきたと判定し、判定結果を制御部４２に出力する。制御部４２は、検知部４４から判定結果が入力されると、噴霧部１３に噴霧制御信号を出力する。噴霧部１３は、制御部４２から噴霧制御信号が入力されると、タンク１１に貯蔵されている機能液３を一定時間噴霧する。
【００４７】
続いて、携帯用噴霧器２の動作について説明する。まず、図５に示すように使用者（携帯者６）が携帯用噴霧器２を携帯している。このとき、携帯用噴霧器２の携帯用タンク２１は、噴霧器１によって機能液３が充填される。外出先で携帯者６が操作部２３１を操作すると、携帯用噴霧部２３が機能液３を外部に噴霧する。これにより、携帯者６は、好きなときに携帯用噴霧器２に機能液３を噴霧させることができる。
【００４８】
その後、携帯者６が帰宅したときに携帯用噴霧器２の機能液３の残量が少ない場合、携帯用噴霧器２が噴霧器１の取付部１５に取り付けられる。噴霧器１の取付部１５の取付検知部（図示せず）は、携帯用噴霧器２が取付部１５に取り付けられたことを検知し、制御部４２に取付検知信号を出力する。制御部４２は、取付検知部から取付検知信号が入力されると、供給部４１に供給制御信号を出力する。供給部４１は、制御部４２から供給制御信号が入力されると、携帯用噴霧器２に機能液３を供給する。これにより、携帯用噴霧器２に機能液３が補充される。
【００４９】
また、携帯用噴霧器２が取付部１５に取り付けられた場合、噴霧器１の制御部４２が除菌部４６に除菌制御信号を出力する。除菌部４６は、制御部４２から除菌制御信号が入力されると、携帯用噴霧器２の表面を除菌する。
【００５０】
以上、本実施形態の噴霧装置によれば、噴霧器１の機能液生成部１４が機能液３を原材料から生成することができるので、噴霧器１および携帯用噴霧器２のランニングコストを低減することができる。
【００５１】
また、本実施形態の噴霧装置によれば、噴霧器１の供給部４１が携帯用噴霧器２に対して機能液３を供給することができるので、使用者（携帯者６）が外出時でも携帯用噴霧器２を用いて機能液３を噴霧することができる。
【００５２】
さらに、本実施形態の噴霧装置によれば、携帯用噴霧器２が差し込まれる凹所１５１が取付部１５に形成されていることによって、使用者が携帯用噴霧器２を取付部１５に装填することができるので、噴霧器１が携帯用噴霧器２を安定して保持することができる。
【００５３】
また、本実施形態の噴霧装置によれば、携帯用噴霧器２の取付部１５への取付が完了すると噴霧器１の供給部４１が携帯用噴霧器２に機能液３を自動で供給することによって、携帯用噴霧器２を取付部１５に取り付けた後に別の操作が不要である。これにより、本実施形態の噴霧装置では、使用者の手間を少なくすることができる。
【００５４】
さらに、本実施形態の噴霧装置によれば、噴霧器１の噴霧部１３が機能液３を上方に噴霧することができるので、噴霧器１の設置場所の空間全体に機能液３を噴霧することができる。
【００５５】
また、本実施形態の噴霧装置によれば、例えば外出先から家人が帰宅したときなど屋外から屋内に人が入ったときに、噴霧器１の噴霧部１３が機能液３を噴霧することによって、より効果的に機能液３を用いることができる。
【００５６】
さらに、本実施形態の噴霧装置によれば、機能液生成部１４がタンク１１内の水（塩化ナトリウム水溶液）の単位体積あたりの通電電気量を日時ごとに変化させることによって、機能液３に含まれる次亜塩素酸の濃度を日時ごとに変化させることができる。
【００５７】
本実施形態の噴霧装置によれば、噴霧器１の取付部１５に携帯用噴霧器２が取り付けられているときに、噴霧器１の除菌部４６の各光源４６１が携帯用噴霧器２の表面に向かって紫外光を放射することによって、携帯用噴霧器２の表面を除菌することができる。これにより、本実施形態の噴霧装置では、噴霧器１によって携帯用噴霧器２を清潔に保つことができる。
【００５８】
また、本実施形態の噴霧装置によれば、噴霧器１の供給部４１が携帯用噴霧器２に機能液３を供給するときに、除菌部４６が携帯用噴霧器２の表面を除菌することができる。これにより、本実施形態の噴霧装置では、除菌のための時間も不要であり、除菌に対する使用者の手間もかからない。
【００５９】
本実施形態の噴霧装置によれば、携帯用噴霧器２に対して使用者（携帯者６）が操作部２３１を正面にして操作した場合に、携帯用噴霧部２３１が使用者の方向へ機能液３を噴霧することができる。
【００６０】
（実施形態２）
実施形態２に係る噴霧装置は、機能液３である電解中性水を用いて携帯用噴霧器２の表面を除菌する点で、実施形態１に係る噴霧装置と相違する。以下、本実施形態の噴霧装置について図６を用いて説明する。なお、実施形態１の噴霧装置と同様の構成要素については、同一の符号を付して説明を省略する。図６は、本実施形態における図１（ａ）のＡ−Ａ断面図である。
【００６１】
本実施形態の除菌部４６は、取付部１５に携帯用噴霧器２が取り付けられた場合に、携帯用噴霧器２を電解中性水に浸すように構成されている。携帯用噴霧器２は、電解中性水に浸されると、表面が電解中性水によって除菌される。なお、本実施形態の携帯用噴霧器２は防水仕様である。
【００６２】
以上、本実施形態の噴霧装置によれば、噴霧器１の取付部１５に携帯用噴霧器２が取り付けられているときに、噴霧器１の除菌部４６が携帯用噴霧器２を電解中性水に浸すことによって、携帯用噴霧器２の表面を電解中性水で除菌することができる。これにより、本実施形態の噴霧装置では、噴霧器１によって携帯用噴霧器２を清潔に保つことができる。
【００６３】
なお、実施形態１，２の変形例として、第１の人感センサ４４１および第２の人感センサ４４２が噴霧器１とは別体に設けられてもよい。本変形例の場合、検知部４４は、通信によって第１の人感センサ４４１および第２の人感センサ４４２から検知信号を取得して、屋外から屋内に入った人を検知する。
【００６４】
また、実施形態１，２の他の変形例として、検知部４４は、第１の人感センサ４４１および第２の人感センサ４４２に代えて電気錠またはドア開閉センサなどを用いて、屋外から屋内に入った人を検知してもよい。また、検知部４４は、電気錠またはドア開閉センサなどと人感センサ４４１，４４２とを組み合わせることによって、屋外から屋内に入った人を検知してもよい。
【００６５】
なお、実施形態１，２の変形例として、機能液生成部１４は、各電極１４１が食塩水に浸かっているかどうかを判定するための判定手段、電極１４１間が何らかの原因で短絡し、過電流が流れたときを検知するための過電流検知手段を備えていてもよい。
【符号の説明】
【００６６】
１  噴霧器
１１  タンク
１２  本体部
１３  噴霧部
１３１  噴霧口
１４  機能液生成部
１５  取付部
１５１  凹所
２  携帯用噴霧器
２１  携帯用タンク
２２  携帯用本体部
２３  携帯用噴霧部
２３２  携帯用噴霧口
３  機能液
４１  供給部
４４  検知部
４６  除菌部
【図１】
2012005981.tif 000003
【図２】
2012005981.tif 000004
【図３】
2012005981.tif 000005
【図４】
2012005981.tif 000006
【図５】
2012005981.tif 000007
【図６】
2012005981.tif 000008